(57)【特許請求の範囲】
【請求項１】
絶縁層及び導体層がそれぞれ１層以上積層された積層体を有する配線基板であって、
前記積層体上に互いに離間して形成された複数の接続端子と、
前記複数の接続端子間に、全体が当該複数の接続端子の高さよりも低い位置まで充填された充填部材と、
を備え、
前記接続端子の断面は、前記積層体と接する側の第１の主面の幅が、前記第１の主面に対向する第２の主面の幅よりも広い台形状であることを特徴とする配線基板。
【請求項２】
前記接続端子の第１の主面は、
前記積層体と当接する当接面と、
前記当接面の両端に、前記積層体と当接していない離間面と、
を有することを特徴とする請求項１に記載の配線基板。
【請求項３】
前記当接面の幅は、前記第２の主面の幅よりも広いことを特徴とする請求項２に記載の配線基板。
【請求項４】
前記充填部材は、ソルダーレジストとして機能することを特徴とする請求項１乃至請求項３のいずれか１項に記載の配線基板。
【請求項５】
前記積層体上には、前記複数の接続端子を露出する開口を有するとともに前記複数の接続端子と接続されてなる配線パターンを覆うソルダーレジスト層を有し、
前記配線パターンの断面は、前記積層体と接する側の第３の主面の幅が、前記第３の主面に対向する第４の主面の幅よりも広い台形状であり、
前記複数の接続端子の少なくとも一部は、前記第２の主面の幅に対する前記第１の主面の幅の比が、前記配線パターンの前記第４の主面の幅に対する前記第３の主面の幅の比よりも大きいことを特徴とする請求項１乃至請求項４のいずれか１項に記載の配線基板。
【発明の詳細な説明】
【技術分野】
【０００１】
本発明は、主面に半導体チップを接続するための複数の接続端子が形成された配線基板に関する。
【背景技術】
【０００２】
通常、配線基板の主面（表面）には、半導体チップとの接続用の端子（以下、接続端子と称する）が形成されている。近年では、この接続端子の高密度化が進んでおり、配置される接続端子の間隔（ピッチ）が狭くなっている。このため、複数の接続端子をソルダーレジストの同一開口内に配置したＮＳＭＤ（ノン・ソルダー・マスク・ディファインド）形状を採用した配線基板が提案されている。
【０００３】
ところが、複数の接続端子を狭ピッチで同一開口内に配置した場合、接続端子表面にコートされた半田が隣接する接続端子に流出し、接続端子間が短絡（ショート）する虞がある。また、接続端子の高密度化により、接続端子の配線幅が狭くなっているため、接続端子が十分な接着強度を得ることができない虞がある。この場合、接続端子が途中の製造工程で倒れたり、剥がれてしまう虞がある。
【０００４】
そこで、各接続端子間に絶縁性のソルダーレジストを充填することが提案されている（例えば、特許文献１参照）。該手法では、ソルダーレジストを接続端子間に充填するため、接続端子表面にコートされた半田が隣接する接続端子に流出するのを抑制することができる。また、接続端子の側面がソルダーレジストと当接するため、接続端子が倒れたり、剥がれてしまうのを抑制することができる。
【先行技術文献】
【特許文献】
【０００５】
【特許文献１】特開２０１１−１９２６９２号公報
【発明の概要】
【発明が解決しようとする課題】
【０００６】
しかしながら、特許文献１で提案される手法では、ソルダーレジストが接続端子間に充填されるまでは、接続端子が途中の製造工程で倒れたり、剥がれてしまう虞がある。
本発明は、上記の事情に対処してなされたものであり、接続端子の接着強度を確保して、接続端子が途中の製造工程で倒れたり、剥がれてしまうのを抑制できる配線基板を提供することを目的とする。
【課題を解決するための手段】
【０００７】
上記目的を達成すべく、本発明は、絶縁層及び導体層がそれぞれ１層以上積層された積層体を有する配線基板であって、前記積層体上に互いに離間して形成された複数の接続端子と、前記複数の接続端子間に、全体が当該複数の接続端子の高さよりも低い位置まで充填された充填部材と、を備え、前記接続端子の断面は、前記積層体と接する側の第１の主面の幅が、前記第１の主面に対向する第２の主面の幅よりも広い台形状であることを特徴とする。
【０００８】
本発明によれば、絶縁層及び導体層がそれぞれ１層以上積層された積層体を有する配線基板において、積層体上に互いに離間して形成される接続端子の断面は、積層体と接する側の第１の主面の幅が、第１の主面に対向する第２の主面の幅よりも広い台形状であるため、接続端子が積層体と接する面積を広くすることができる。このため、十分な接着強度を得ることができる。この結果、接続端子が途中の製造工程で倒れたり、剥がれてしまうことを抑制することができる。
【０００９】
また、接続端子の断面が台形状となっているため、接続端子と充填部材との間に気泡が生じることを抑制できる。さらに、接続端子の第２の主面の幅が狭くなっているので、接続端子の表面にコートされた半田が隣接する接続端子側に流出し、接続端子間が短絡（ショート）することを抑制できる。
【００１０】
なお、本発明の一態様においては、前記接続端子の第１の主面は、前記積層体と当接する当接面と、前記当接面の両端に、前記積層体と当接していない離間面と、を有することを特徴とする。
【００１１】
また、本発明の他の態様においては、前記当接面の幅は、前記第２の主面の幅よりも広いことを特徴とする。当接面の幅は、第２の主面の幅よりも広いので、十分な接着強度を得ることができる。このため、接続端子が途中の製造工程で倒れたり、剥がれてしまうことを抑制することができる。
【００１２】
また、本発明のその他の態様においては、前記充填部材は、ソルダーレジストとして機能する。充填部材がソルダーレジストとして機能することで、充填部材上に半田が残留し、接続端子間が短絡（ショート）することを抑制できる。
【００１３】
また、本発明のその他の態様においては、前記積層体上には、前記複数の接続端子を露出する開口を有するとともに前記複数の接続端子と接続されてなる配線パターンを覆うソルダーレジスト層を有し、前記配線パターンの断面は、前記積層体と接する側の第３の主面の幅が、前記第３の主面に対向する第４の主面の幅よりも広い台形状であり、前記複数の接続端子の少なくとも一部は、前記第２の主面の幅に対する前記第１の主面の幅の比が、前記配線パターンの前記第４の主面の幅に対する前記第３の主面の幅の比よりも大きいことを特徴とする。
【００１４】
上記のように構成することで、接続端子の第２の主面の幅が狭くなるため、接続端子間の距離が長くなる。このため、より効果的に接続端子間の短絡（ショート）を抑制できる。また、配線パターンの第４の主面の幅が広くなるため、配線の断面積が広くなる。このため、配線パターンの電気抵抗を低くすることができる。
【発明の効果】
【００１５】
以上説明したように、本発明によれば、接続端子の接着強度を確保して、接続端子が途中の製造工程で倒れたり、剥がれてしまうのを抑制できる配線基板を提供することができる。
【図面の簡単な説明】
【００１６】
【図１】第１の実施形態に係る配線基板の平面図（表面側）。
【図２】第１の実施形態に係る配線基板の一部断面図。
【図３】第１の実施形態に係る配線基板の表面側の接続端子の構成図。
【図４】第１の実施形態に係る配線基板の製造工程図（コア基板工程）。
【図５】第１の実施形態に係る配線基板の製造工程図（ビルドアップ工程）。
【図６】第１の実施形態に係る配線基板の製造工程図（ビルドアップ工程）。
【図７】第１の実施形態に係る配線基板の製造工程図（充填工程）。
【図８】第４の充填方法の説明図である。
【図９】第１の実施形態に係る配線基板の製造工程図（ソルダーレジスト層工程）。
【図１０】第１の実施形態に係る配線基板の製造工程図（めっき工程）。
【図１１】第２の実施形態に係る配線基板の平面図（表面側）。
【図１２】第２の実施形態に係る配線基板の一部断面図。
【図１３】第２の実施形態に係る配線基板の表面側の接続端子の構成図。
【図１４】第３の実施形態に係る配線基板の平面図（表面側）。
【図１５】第３の実施形態に係る配線基板の一部断面図。
【図１６】第３の実施形態に係る配線基板の表面側の接続端子の構成図。
【図１７】第３の実施形態に係る配線基板の製造工程図（ビルドアップ工程）。
【図１８】第３の実施形態に係る配線基板の製造工程図（凸めっき層形成工程）。
【図１９】その他の実施形態に係る配線基板の充填部材の上面形状を示す図。
【発明を実施するための形態】
【００１７】
以下、本発明の実施形態について図面を参照しながら詳細に説明する。なお、以下の説明では、コア基板上にビルドアップ層を形成した配線基板を例に、本発明の実施形態を説明するが、上面及び側面が露出してなる複数の接続端子が形成された配線基板であればよく、例えば、コア基板を有しない配線基板であってもよい。
【００１８】
（第１の実施形態）
図１は、第１の実施形態における配線基板１００の平面図（表面側）である。図２は、図１の線分Ｉ−Ｉにおける配線基板１００の一部断面図である。図３は、配線基板１００の表面側に形成された接続端子Ｔ１及び金属配線Ｌ３（配線パターン）の構成図である。図３（ａ）は、平面図、図３（ｂ）は、図３（ａ）の線分ＩＩ−ＩＩにおける断面図である。なお、以下の説明では、半導体チップが接続される側を表面側とし、マザーボードやソケット等（以下、マザーボード等と称する）が接続される側を裏面側とする。また、接続端子Ｔ１及び金属配線Ｌ３は、導体層３４を構成する。
【００１９】
（配線基板１００の構成）
図１〜３に示す配線基板１００は、コア基板２と、半導体チップ（不図示）との接続端子Ｔ１が複数形成され、コア基板２の表面側に積層されるビルドアップ層３（表面側）と、ビルドアップ層３の表面側に積層され、複数の接続端子Ｔ１間を充填する充填部材４と、充填部材４の表面側に積層され、複数の接続端子Ｔ１を露出する開口５ａが形成されたソルダーレジスト層５と、マザーボード等（不図示）との接続端子Ｔ１１が複数形成され、コア基板２の裏面側に積層されるビルドアップ層１３（裏面側）と、ビルドアップ層１３の裏面側に積層され、接続端子Ｔ１１の少なくとも一部を露出する開口１４ａが形成されたソルダーレジスト層１４と、を備える。
【００２０】
コア基板２は、耐熱性樹脂板（たとえばビスマレイミド−トリアジン樹脂板）や、繊維強化樹脂板（たとえばガラス繊維強化エポキシ樹脂）等で構成された板状の樹脂製基板である。コア基板２の表面及び裏面には、金属配線Ｌ１，Ｌ１１をなすコア導体層２１，２２がそれぞれ形成されている。また、コア基板２には、ドリル等により穿設されたスルーホール２３が形成され、その内壁面にはコア導体層２１，２２を互いに導通させるスルーホール導体２４が形成されている。さらに、スルーホール２３は、エポキシ樹脂等の樹脂製穴埋め材２５により充填されている。
【００２１】
（表面側の構成）
ビルドアップ層３は、コア基板２の表面側に積層された樹脂絶縁層３１，３３及び導体層３２，３４からなる。樹脂絶縁層３１は、熱硬化性樹脂組成物からなり、表面に金属配線Ｌ２をなす導体層３２が形成されている。また、樹脂絶縁層３１には、コア導体層２１と導体層３２とを電気的に接続するビア３５が形成されている。樹脂絶縁層３３は、熱硬化性樹脂組成物からなり、表層に複数の接続端子Ｔ１を有する導体層３４が形成されている。また、樹脂絶縁層３３には、導体層３２と導体層３４とを電気的に接続するビア３６が形成されている。ここで、樹脂絶縁層３１，３３及び導体層３２は積層体を構成する。
【００２２】
ビア３５，３６は、それぞれ、ビアホール３７ａとその内周面に設けられたビア導体３７ｂと、底面側にてビア導体３７ｂと導通するように設けられたビアパッド３７ｃと、ビアパッド３７ｃと反対側にてビア導体３７ｂの開口周縁から外向きに張り出すビアランド３７ｄとを有している。
【００２３】
接続端子Ｔ１は、半導体チップと接続するための接続端子である。接続端子Ｔ１は、半導体チップの実装領域の内周に沿って配置された、いわゆるペリフェラル型の接続端子である。半導体チップは、この接続端子Ｔ１と電気的に接続されることにより配線基板１００に実装される。各接続端子Ｔ１は、後述する充填部材４との接着性を向上させるために、その表面が粗化されている。
【００２４】
図３に示すように、各接続端子Ｔ１の断面は、樹脂絶縁層３１，３３及び導体層３２で構成される積層体と接する側の第１の主面Ｆ１の幅Ｗ１が、第１の主面Ｆ１に対向する第２の主面Ｆ２の幅Ｗ２よりも広い台形状となっている。また、接続端子Ｔ１の第１の主面Ｆ１は、前記積層体と当接する当接面Ｃと、当接面Ｃの両端に、前記積層体と当接していない離間面Ｎとを有しており、この当接面Ｃの幅Ｗ３は、第２の主面Ｆ２の幅Ｗ２よりも広くなっている。
【００２５】
金属配線Ｌ３（配線パターン）は、ソルダーレジスト層５に覆われている。金属配線Ｌ３（配線パターン）の断面は、前記積層体と接する側の第３の主面Ｆ３の幅Ｗ４が、第３の主面Ｆ３に対向する第４の主面Ｆ４の幅Ｗ５よりも広い台形状となっている。また、金属配線Ｌ３（配線パターン）の第３の主面Ｆ３は、前記積層体と当接する当接面Ｃと、当接面Ｃの両端に、前記積層体と当接していない離間面Ｎとを有しており、この当接面Ｃの幅Ｗ６は、第４の主面Ｆ４の幅Ｗ５よりも広くなっている。
【００２６】
さらに、この実施形態の配線基板１００では、複数の接続端子Ｔ１の少なくとも一部は、第２の主面Ｆ２の幅Ｗ２に対する第１の主面Ｆ１の幅Ｗ１の比Ｗ１／Ｗ２が、金属配線Ｌ３（配線パターン）の第４の主面Ｆ４の幅Ｗ５に対する第３の主面Ｆ３の幅Ｗ４の比Ｗ４／Ｗ５よりも大きくなっている。
【００２７】
また、各接続端子Ｔ１の露出面は、金属めっき層Ｍにより覆われている。半導体チップを配線基板１００に実装する際には、半導体チップの接続端子にコートされた半田をリフローすることで半導体チップの接続端子と接続端子Ｔ１とが電気的に接続される。なお、金属めっき層Ｍは、例えば、Ｎｉ層、Ｓｎ層、Ａｇ層、Ｐｄ層、Ａｕ層等の金属層から選択される単一又は複数の層（例えば、Ｎｉ層／Ａｕ層、Ｎｉ層／Ｐｄ層／Ａｕ層）で構成される。
【００２８】
また、金属めっき層Ｍの代わりに、防錆用のＯＳＰ（Organic Solderability Preservative）処理を施してもよい。また、接続端子Ｔ１の露出面に半田をコートしてもよく、さらに、接続端子Ｔ１の露出面を金属めっき層Ｍで覆った後、この金属めっき層Ｍに半田をコートしてもよい。なお、接続端子Ｔ１の露出面に半田をコートする方法については後述する。
【００２９】
充填部材４は、ビルドアップ層３に積層される絶縁性部材であり、その材質は、ソルダーレジスト層５と同じであることが好ましい。充填部材４は、ビルドアップ層３の表層に形成された各接続端子Ｔ１の側面に当接した状態で接続端子Ｔ１間に充填されている。また、充填部材４の厚みＤ１は、接続端子Ｔ１の厚み（高さ）Ｄ２よりも薄くなっている。
【００３０】
ソルダーレジスト層５は、接続端子Ｔ１と接続される配線パターンを覆うとともに、半導体チップの実装領域の内周に沿って配置された接続端子Ｔ１を露出させる開口５ａを有している。ソルダーレジスト層５の開口５ａは、同一開口内に複数の接続端子Ｔ１を配置するＮＳＭＤ形状となっている。
【００３１】
（裏面側の構成）
ビルドアップ層１３は、コア基板２の裏面側に積層された樹脂絶縁層１３１，１３３及び導体層１３２，１３４からなる。樹脂絶縁層１３１は、熱硬化性樹脂組成物からなり、裏面に金属配線Ｌ１２をなす導体層１３２が形成されている。また、樹脂絶縁層１３１には、コア導体層２２と導体層１３２とを電気的に接続するビア１３５が形成されている。樹脂絶縁層１３３は、熱硬化性樹脂組成物からなり、表層に１以上の接続端子Ｔ１１を有する導体層１３４が形成されている。また、樹脂絶縁層１３３には、導体層１３２と導体層１３４とを電気的に接続するビア１３６が形成されている。
【００３２】
ビア１３５，１３６は、それぞれ、ビアホール１３７ａとその内周面に設けられたビア導体１３７ｂと、底面側にてビア導体１３７ｂと導通するように設けられたビアパッド１３７ｃと、ビアパッド１３７ｃと反対側にてビア導体１３７ｂの開口周縁から外向きに張り出すビアランド１３７ｄとを有している。
【００３３】
接続端子Ｔ１１は、配線基板１００をマザーボード等に接続するための裏面ランド（ＰＧＡパッド、ＢＧＡパッド）として利用されるものであり、配線基板１００の略中心部を除く外周領域に形成され、前記略中央部を囲むようにして矩形状に配列されている。また、接続端子Ｔ１１の表面の少なくとも一部は、金属めっき層Ｍにより覆われている。
【００３４】
ソルダーレジスト層１４は、フィルム状のソルダーレジストをビルドアップ層１３の表面上に積層して形成されている。ソルダーレジスト層１４には、各接続端子Ｔ１１の表面の一部を露出させる開口１４ａが形成されている。このため、各接続端子Ｔ１１は、表面の一部が開口１４ａによりソルダーレジスト層１４から露出した状態となっている。つまり、ソルダーレジスト層１４の開口１４ａは、各接続端子Ｔ１１の表面の一部を露出したＳＭＤ（ソルダー・マスク・ディファインド）形状となっている。なお、ソルダーレジスト層５の開口５ａとは異なり、ソルダーレジスト層１４の開口１４ａは、接続端子Ｔ１１毎に形成されている。
【００３５】
開口１４ａ内には、たとえばＳｎ−Ａｇ、Ｓｎ−Ｃｕ、Ｓｎ−Ａｇ−Ｃｕ、Ｓｎ−Ｓｂなど実質的にＰｂを含有しない半田からなる半田ボールＢが、金属めっき層Ｍを介して接続端子Ｔ１１と電気的に接続するようにして形成されている。なお、配線基板１００をマザーボード等に実装する際は、配線基板１００の半田ボールＢをリフローすることで、接続端子Ｔ１１をマザーボード等の接続端子に電気的に接続する。
【００３６】
（配線基板の製造方法）
図４〜図１０は、第１の実施形態に係る配線基板１００の製造工程を示す図である。以下、図４〜図１０を参照して、配線基板１００の製造方法について説明する。
【００３７】
（コア基板工程：図４）
板状の樹脂製基板の表面及び裏面に銅箔が貼付された銅張積層板を準備する。また、銅張積層板に対してドリルを用いて孔あけ加工を行い、スルーホール２３となる貫通孔を所定位置にあらかじめ形成しておく。そして、従来公知の手法に従って無電解銅めっき及び電解銅めっきを行うことでスルーホール２３内壁にスルーホール導体２４を形成し、銅張積層板の両面に銅めっき層を形成する（図４（ａ）参照）。
【００３８】
その後、スルーホール導体２４内をエポキシ樹脂等の樹脂穴埋め材２５で充填する。さらに、銅張積層板の両面の銅箔上に形成された銅めっき層を所望の形状にエッチングして銅張積層板の表面及び裏面に金属配線Ｌ１，Ｌ１１をなすコア導体層２１，２２をそれぞれ形成し、コア基板２を得る（図４（ｂ）参照）。なお、スルーホール２３形成工程の後、加工部分のスミアを除去するデスミア処理を行うことが望ましい。
【００３９】
（ビルドアップ工程：図５〜図６）
コア基板２の表面及び裏面に、樹脂絶縁層３１，１３１となるエポキシ樹脂を主成分とするフィルム状絶縁樹脂材料をそれぞれ重ね合わせて配置する。そして、この積層物を真空圧着熱プレス機で加圧加熱し、フィルム状絶縁樹脂材料を熱硬化させながら圧着する。次に、従来周知のレーザー加工装置を用いてレーザー照射を行い、樹脂絶縁層３１，１３１にビアホール３７ａ，１３７ａをそれぞれ形成する（図５（ａ）参照）。
【００４０】
続いて、樹脂絶縁層３１，１３１の表面を粗化した後、無電解めっきを行い、ビアホール３７ａ，１３７ａの内壁を含む樹脂絶縁層３１，１３１上に無電解銅めっき層を形成する。次に樹脂絶縁層３１，１３１上に形成された無電解銅めっき層上にフォトレジストをラミネートして、露光・現像を行い、所望の形状にめっきレジストを形成する。
【００４１】
その後、このめっきレジストをマスクとして、電解めっきにより、銅をめっきして、所望の銅めっきパターンを得る。次に、めっきレジストを剥離して、めっきレジスト下に存在していた無電解銅めっき層を除去して、金属配線Ｌ２，Ｌ１２をなす導体層３２，１３２を形成する。また、この際に、ビア導体３７ｂ，１３７ｂ、ビアパッド３７ｃ，１３７ｃ及びビアランド３７ｄ，１３７ｄからなるビア３５，１３５も形成される（図５ｂ参照）。
【００４２】
次に、導体層３２，１３２上に、樹脂絶縁層３３，１３３となるエポキシ樹脂を主成分とするフィルム状絶縁樹脂材料をそれぞれ重ね合わせて配置する。そして、この積層物を真空圧着熱プレス機で加圧加熱し、フィルム状絶縁樹脂材料を熱硬化させながら圧着する。次に、従来周知のレーザー加工装置を用いてレーザー照射を行い、樹脂絶縁層３３，１３３にビアホール３７ａ，１３７ａをそれぞれ形成する（図６（ａ）参照）。
【００４３】
続いて、導体層３２，１３２を形成した時と同様にして、ビアホール３７ａ，１３７ａが形成された樹脂絶縁層３３，１３３に、接続端子Ｔ１，Ｔ１１を有する導体層３４，１３４及びビア３６，１３６をそれぞれ形成する（図６（ｂ）参照）。
【００４４】
なお、接続端子Ｔ１間を充填部材４で充填する前に、接続端子Ｔ１の表面（特に、側面）を粗化しておくことが好ましい。接続端子Ｔ１の表面は、例えば、メックエッチボンド（メック社製）等のエッチング液で処理することで粗化することができる。接続端子Ｔ１の表面をエッチング液で処理することにより、図３を参照して説明したように、接続端子Ｔ１及び金属配線Ｌ３（配線パターン）の断面が台形状となり、当接面Ｃの両端に樹脂絶縁層３３と当接しない離間面Ｎが形成される。
【００４５】
（充填工程：図７）
次に、ビルドアップ層３の表層をなす複数の接続端子Ｔ１間を、接続端子Ｔ１よりも低い位置まで充填部材４で充填する。接続端子Ｔ１間に充填部材４を充填する方法としては、種々の手法を採用することができる。以下、この充填部材４を接続端子Ｔ１間に充填する充填方法について説明する。なお、下記の第１〜第４の充填方法において、充填部材４となる絶縁性樹脂をコートする方法として、印刷、ラミネート、ロールコート、スピンコート等種々の手法を用いることができる。
【００４６】
（第１の充填方法）
この第１の充填方法では、表層に接続端子Ｔ１が形成されたビルドアップ層３の表面に熱硬化性の絶縁性樹脂を薄くコートして熱硬化させた後、硬化した絶縁性樹脂を接続端子Ｔ１の上面よりも低くなるまで研磨する。なお、この充填部材４を研磨により除去する際は、充填部材４を下地である樹脂絶縁層３３表面が露出するまで除去しないことに留意する。
【００４７】
（第２の充填方法）
この第２の充填方法では、表層に接続端子Ｔ１が形成されたビルドアップ層３の表面に熱硬化性の絶縁性樹脂を薄くコートした後、絶縁性樹脂を溶融する溶剤で、接続端子Ｔ１上面を覆う余分な絶縁性樹脂を除去した後、絶縁性樹脂を熱硬化させる。なお、この充填部材４を除去する際は、充填部材４を下地である樹脂絶縁層３３表面が露出するまで除去しないことに留意する。
【００４８】
（第３の充填方法）
この第３の充填方法では、表層に接続端子Ｔ１が形成されたビルドアップ層３の表面に熱硬化性の絶縁性樹脂を厚くコートして熱硬化させた後、半導体素子の実装領域以外の領域をマスクし、接続端子Ｔ１の上面よりも低くなるまで絶縁性樹脂をＲＩＥ（Reactive Ion Etching）等によりドライエッチングする。第３の充填方法で充填部材４を接続端子Ｔ１間に充填する場合、充填部材４とソルダーレジスト層５とが一体的に形成される。なお、この充填部材４を除去する際は、充填部材４を下地である樹脂絶縁層３３表面が露出するまで除去しないことに留意する。
【００４９】
（第４の充填方法）
図８は、第４の充填方法の説明図である。以下、図８を参照して、第４の充填方法について説明する。第４の充填方法では、表層に配線導体Ｔ１が形成されたビルドアップ層３の表面に光硬化性の絶縁性樹脂を厚くコートした後（図８（ａ）参照）、後にソルダーレジスト層の開口５ａとなるべき領域の内側領域をマスクして絶縁性樹脂を露光・現像して、開口５ａの外側領域となるべき絶縁性樹脂を光硬化させる（図８（ｂ）参照）。次に、炭酸ナトリウム水溶液（濃度１重量％）に、この製造途中の配線基板１００を短時間（未感光部の絶縁性樹脂表面が若干膨潤する程度の時間）浸漬する（図８（ｃ）参照）。
【００５０】
その後、水洗して膨潤した絶縁性樹脂を乳化させる（図８（ｄ）参照）。次に、膨潤・乳化した絶縁性樹脂を製造途中の配線基板１００から除去する（図８（ｅ）参照）。光硬化していない絶縁性樹脂の上端の位置が、各接続端子Ｔ１の上面より低い位置となるまで上記浸漬及び水洗を、それぞれ１回、又はそれぞれ数回繰り返す。その後、熱または紫外線により絶縁性樹脂を硬化させる。
【００５１】
なお、この充填部材４を除去する際は、充填部材４を下地である樹脂絶縁層３３表面が露出するまで除去しないことに留意する。また、この第４の充填方法で、充填部材４を接続端子Ｔ１間に充填する場合、充填部材４とソルダーレジスト層５とが一体的に形成される。
【００５２】
（ソルダーレジスト層工程：図９）
充填部材４及び樹脂絶縁層１３４の表面に、それぞれフィルム状のソルダーレジストをプレスして積層する。積層したフィルム状のソルダーレジストを露光・現像して、複数の接続端子Ｔ１の表面及び側面を露出させるＮＳＭＤ形状の開口５ａが形成されたソルダーレジスト層５と、各接続端子Ｔ１１の表面の一部を露出させるＳＭＤ形状の開口１４ａが形成されたソルダーレジスト層１４とを得る。なお、充填工程において上述した第３，第４の充填方法を採用した場合、充填部材４及びソルダーレジスト層５が一体的に形成されるため、この工程において、ソルダーレジスト層５を積層する必要はない。
【００５３】
（めっき工程：図１０）
次に、接続端子Ｔ１の露出面を過硫酸ナトリウム等によりエッチングして、接続端子Ｔ１表面の酸化膜等の不純物を除去する。なお、このエッチングにより接続端子Ｔ１の主面の周囲（外周）に段差が形成される。その後、還元剤を用いた無電解還元めっきにより、接続端子Ｔ１，Ｔ１１の露出面に金属めっき層Ｍを形成する。無電解置換めっきにより接続端子Ｔ１の露出面に金属めっき層Ｍを形成する場合は、接続端子Ｔ１の露出面の金属が置換されて金属めっき層Ｍが形成される。このため、接続端子Ｔ１の露出面を過硫酸ナトリウム等によりエッチングしなくとも、接続端子Ｔ１の主面の周囲に段差が形成される。
【００５４】
また、接続端子Ｔ１の露出面に半田をコートする場合は、コートする半田層の厚みに応じて、以下の２通りの方法を選択することができる。
【００５５】
（第１のコート方法）
厚みが５〜３０μｍの半田層を接続端子Ｔ１の露出面にコートする場合、接続端子Ｔ１の露出面を少しだけエッチング（ソフトエッチング）し、接続端子Ｔ１の露出面に形成された酸化膜を除去する。この際、接続端子Ｔ１の主面の周囲に段差が形成される。次にＳｎ（錫）粉末、Ａｇ（銀）、Ｃｕ（銅）などの金属を含むイオン性化合物及びフラックスを混合したペースト（例えば、ハリマ化成株式会社：スーパーソルダー（製品名））を、接続端子Ｔ１の露出面全面を覆うように、ＮＳＭＤ形状の開口５ａ内全体に薄く塗布する。その後、リフローを行い、接続端子Ｔ１の露出面にＳｎとＡｇ、もしくは、Ｓｎ、Ａｇ及びＣｕの合金からなる半田層を形成する。
【００５６】
（第２のコート方法）
厚みが１０μｍ以下の半田層を接続端子Ｔ１の露出面にコートする場合、接続端子Ｔ１の露出面を少しだけエッチング（ソフトエッチング）し、接続端子Ｔ１の露出面に形成された酸化膜を除去する。この際、接続端子Ｔ１の主面の周囲に段差が形成される。次に、接続端子Ｔ１の露出面に無電解Ｓｎ（錫）めっきを行うことによりＳｎめっき層を形成し、このＳｎめっき層の全面を覆うようにしてフラックスを塗布する。その後、リフローを行い、接続端子Ｔ１にめっきされたＳｎめっき層を溶融させて接続端子Ｔ１の主面に半田層を形成する。この際、溶融したＳｎは、表面張力により、接続端子Ｔ１の主面に凝集する。
【００５７】
（バックエンド工程）
半田印刷により、接続端子Ｔ１１上に形成された金属めっき層Ｍ上に半田ペーストを塗布した後、所定の温度と時間でリフローを行い、接続端子Ｔ１１上に半田ボールＢを形成し、図１，図２に示す配線基板１００を得る。
【００５８】
以上のように、第１の実施形態に係る配線基板１００では、各接続端子Ｔ１の断面は、樹脂絶縁層３１，３３及び導体層３２で構成される積層体と接する側の第１の主面Ｆ１の幅Ｗ１が、第１の主面Ｆ１に対向する第２の主面Ｆ２の幅Ｗ２よりも広い台形状となっている。また、接続端子Ｔ１の第１の主面Ｆ１は、前記積層体と当接する当接面Ｃと、当接面Ｃの両端に、前記積層体と当接していない離間面Ｎとを有しており、この当接面Ｃの幅Ｗ３は、第２の主面Ｆ２の幅Ｗ２よりも広くなっている。
【００５９】
このため、接続端子Ｔ１が前記積層体と接する面積が広くなり、十分な接着強度を得ることができる。この結果、接続端子Ｔ１が途中の製造工程で倒れたり、剥がれてしまうことを抑制することができる。
【００６０】
また、接続端子Ｔ１の断面が台形状となっているため、接続端子Ｔ１と充填部材４との間に気泡が生じることを抑制できる。さらに、接続端子Ｔ１の第２の主面Ｆ２の幅Ｗ２が狭くなっているので、接続端子Ｔ１の表面にコートされた半田が隣接する接続端子Ｔ１側に流出し、接続端子Ｔ１間が短絡（ショート）することを抑制できる。
【００６１】
また、接続端子Ｔ１の第１の主面Ｆ１は、前記積層体と当接する当接面Ｃと、当接面Ｃの両端に、前記積層体と当接していない離間面Ｎとを有しており、この当接面Ｃの幅Ｗ３は、第２の主面Ｆ２の幅Ｗ２よりも広くなっている。このため、十分な接着強度を得ることができ、接続端子が途中の製造工程で倒れたり、剥がれてしまうことを抑制することができる。
【００６２】
また、この実施形態の配線基板１００では、複数の接続端子Ｔ１の少なくとも一部は、第２の主面Ｆ２の幅Ｗ２に対する第１の主面Ｆ１の幅Ｗ１の比Ｗ１／Ｗ２が、金属配線Ｌ３（配線パターン）の第４の主面Ｆ４の幅Ｗ５に対する第３の主面Ｆ３の幅Ｗ４の比Ｗ４／Ｗ５よりも大きくなっている。
【００６３】
上記のように構成することで、接続端子Ｔ１は、第２の主面Ｆ２の幅Ｗ２が狭くなるため、接続端子Ｔ１間の距離が長くなる。このため、より効果的に接続端子Ｔ１間の短絡（ショート）を抑制できる。また、金属配線Ｌ３（配線パターン）は、第４の主面Ｆ４の幅Ｗ５が広くなるため、金属配線Ｌ３（配線パターン）の断面積が広くなる。このため、金属配線Ｌ３（配線パターン）の電気抵抗を低くすることができる。
【００６４】
さらに、接続端子Ｔ１を粗化したうえで、接続端子Ｔ１間に充填部材４を充填しているので、接続端子Ｔ１と充填部材４との接着強度が向上する。このため、接続端子１が途中の製造工程で剥がれてしまうことをより効果的に抑制できる。また、充填部材４の材質をソルダーレジスト層５と同じとすることで、充填部材４の半田の流れ性がソルダーレジスト層５と同程度となり、充填部材４上に半田が残留して接続端子Ｔ１間が短絡（ショート）することを抑制できる。
【００６５】
また、接続端子Ｔ１間に充填される充填部材４の厚みＤ１を接続端子Ｔ１の厚み（高さ）Ｄ２よりも薄くしている。つまり、接続端子Ｔ１が充填部材４の上面から少し突き出た状態となるようにしている。このため、半導体チップの接続端子の中心と、接続端子Ｔ１の中心とがずれた場合でも、半導体チップの接続端子が接続端子Ｔ１の端部と当接するので、接続端子Ｔ１と半導体チップの接続端子との接続信頼性が向上する。
【００６６】
（第２の実施形態）
図１１は、第２の実施形態における配線基板２００の平面図（表面側）である。図１２は、図１１の線分Ｉ−Ｉにおける配線基板２００の一部断面図である。図１３は、配線基板２００の表面側に形成された接続端子Ｔ２の構成図である。図１３（ａ）は、接続端子Ｔ２の平面図である。図１３（ｂ）は、図１２（ａ）のＩＩ−ＩＩにおける断面図である。以下、図１１〜図１３を参照して配線基板２００の構成について説明するが、図１〜図３を参照して説明した配線基板１００と同一の構成については同一の符号を付して重複した説明を省略する。
【００６７】
（表面側の構成）
配線基板２００の表面側では、コア導体層２１と電気的に接続する蓋めっき層４１が形成され、この蓋めっき層４１と導体層３２及び導体層３２と導体層３４とが、それぞれフィルドビア４２及びフィルドビア４３により電気的に接続されている。フィルドビア４２，４３は、ビアホール４４ａとビアホール４４ａ内側にめっきにより充填されたビア導体４４ｂとを有する。また、ビルドアップ層３の最表層には、後述する接続端子Ｔ２だけが形成され、接続端子Ｔ２と同一層において接続される配線パターンや配線パターンを覆うソルダーレジスト層は形成されていない。ここで、樹脂絶縁層３１，３３及び導体層３２は積層体を構成する。
【００６８】
配線基板２００の表面側に形成された接続端子Ｔ２は、半導体チップの実装領域全体に配置された、いわゆるエリアバンプ型の接続端子となっている。接続端子Ｔ２は、半導体チップとの接続端子である。半導体チップは、この接続端子Ｔ２と電気的に接続されることにより配線基板２００に実装される。各接続端子Ｔ２は、充填部材４との接着性を向上させるために、その表面が粗化されている。接続端子Ｔ２の表面は、例えば、メックエッチボンド（メック社製）等のエッチング液で処理することで粗化することができる。
【００６９】
図１３に示すように、各接続端子Ｔ２の断面は、樹脂絶縁層３１，３３及び導体層３２で構成される積層体と接する側の第１の主面Ｆ１の幅Ｗ１が、第１の主面Ｆ１に対向する第２の主面Ｆ２の幅Ｗ２よりも広い台形状となっている。また、接続端子Ｔ２の第１の主面Ｆ１は、前記積層体と当接する当接面Ｃと、当接面Ｃの両端に、前記積層体と当接していない離間面Ｎとを有しており、この当接面Ｃの幅Ｗ３は、第２の主面Ｆ２の幅Ｗ２よりも広くなっている。
【００７０】
さらに、接続端子Ｔ２の露出面は、金属めっき層Ｍにより覆われている。半導体チップを配線基板２００に実装する際には、半導体チップの接続端子にコートされた半田をリフローすることで半導体チップの接続端子と接続端子Ｔ２とが電気的に接続される。なお、金属めっき層Ｍの代わりに、半田をコートしてもよく、防錆用のＯＳＰ処理を施してもよい。
【００７１】
接続端子Ｔ２への金属めっき層Ｍの形成は、接続端子Ｔ２の露出面を過硫酸ナトリウム等によりエッチングした後、還元剤を用いた無電解還元めっきにより、接続端子Ｔ２の露出面に金属めっき層Ｍを形成することで行う。なお、過硫酸ナトリウム等を用いたエッチングの際に、接続端子Ｔ２の主面の周囲に段差が形成される。また、無電解置換めっきにより接続端子Ｔ２の露出面に金属めっき層Ｍを形成する場合は、接続端子Ｔ２の露出面の金属が置換されて、金属めっき層Ｍが形成される。このため、接続端子Ｔ２の露出面を過硫酸ナトリウム等によりエッチングしなくとも、接続端子Ｔ２の主面の周囲に段差が形成される。
【００７２】
配線基板２００の複数の接続端子Ｔ２は樹脂絶縁層３３から突出しており、表面及び側面が露出している。このため、配線基板１００の接続端子Ｔ１と同様に、接続端子Ｔ２間を絶縁性部材である充填部材４で充填している。また、充填部材４の厚みＤ１は、接続端子Ｔ２の厚み（高さ）Ｄ２よりも薄くなっている。なお、充填部材４は、第１の実施形態で説明した第１〜第４の充填方法により接続端子Ｔ２間に充填することができる。
【００７３】
（裏面側の構成）
配線基板２００の裏面側では、コア導体層２２と電気的に接続する蓋めっき層１４１が形成され、この蓋めっき層１４１と導体層１３２及び導体層１３２と導体層１３４とが、それぞれフィルドビア１４２及びフィルドビア１４３により電気的に接続されている。フィルドビア１４２，１４３は、ビアホール１４４ａとビアホール１４４ａ内側にめっきにより充填されたビア導体１４４ｂとを有する。
【００７４】
以上のように、第２の実施形態に係る配線基板２００では、各接続端子Ｔ２の断面は、樹脂絶縁層３１，３３及び導体層３２で構成される積層体と接する側の第１の主面Ｆ１の幅Ｗ１が、第１の主面Ｆ１に対向する第２の主面Ｆ２の幅Ｗ２よりも広い台形状となっている。なお、効果については、第１の実施形態に係る配線基板１００と同じである。
【００７５】
（第３の実施形態）
図１４は、第３の実施形態における配線基板３００の平面図（表面側）である。図１５は、図１４の線分Ｉ−Ｉにおける配線基板３００の一部断面図である。図１６は、配線基板３００の表面側に形成された接続端子Ｔ３の構成図である。図１６（ａ）は、接続端子Ｔ３の平面図である。図１６（ｂ）は、図１６（ａ）のＩＩ−ＩＩにおける断面図である。
【００７６】
この第３の実施形態に係る配線基板３００では、接続端子Ｔ３，Ｔ１１が、それぞれビアを介さずに導体層３２，１３２上に直接形成されている点が図１１〜図１３を参照して説明した配線基板２００と異なる。以下、図１４〜図１６を参照して配線基板３００の構成について説明するが、図１〜図３を参照して説明した配線基板１００及び図１１〜図１３を参照して説明した配線基板２００と同一の構成については同一の符号を付して重複した説明を省略する。
【００７７】
（表面側の構成）
配線基板３００の表面側は、コア導体層２１と電気的に接続する蓋めっき層４１が形成され、この蓋めっき層４１と導体層３２とが、フィルドビア４２により電気的に接続されている。フィルドビア４２は、ビアホール４４ａとビアホール４４ａ内側にめっきにより充填されたビア導体４４ｂとを有する。
【００７８】
配線基板３００の導体層３２上に形成された接続端子Ｔ３は、半導体チップの実装領域全体に略等間隔で格子状に配置されている。接続端子Ｔ３は、柱状形状（例えば、円柱、四角柱、三角柱等）であり、上部が充填部材４の表面から突出した状態で、ビアを介さずに導体層３２上に直接形成されている。接続端子Ｔ３は、半導体チップとの接続端子である。半導体チップは、この接続端子Ｔ３と電気的に接続されることにより配線基板３００に実装される。各接続端子Ｔ３は、充填部材４との接着性を向上させるために、その表面が粗化されている。接続端子Ｔ３の表面は、例えば、メックエッチボンド（メック社製）等のエッチング液で処理されている。
【００７９】
また、図１６に示すように、各接続端子Ｔ３の断面は、樹脂絶縁層３１，３３及び導体層３２で構成される積層体と接する側の第１の主面Ｆ１の幅Ｗ１が、第１の主面Ｆ１に対向する第２の主面Ｆ２の幅Ｗ２よりも広い台形状となっている。また、接続端子Ｔ２の第１の主面Ｆ１は、前記積層体と当接する当接面Ｃと、当接面Ｃの両端に、前記積層体と当接していない離間面Ｎとを有しており、この当接面Ｃの幅Ｗ３は、第２の主面Ｆ２の幅Ｗ２よりも広くなっている。
【００８０】
さらに、各接続端子Ｔ３の露出面は、金属めっき層Ｍにより覆われている。半導体チップを配線基板３００に実装する際には、半導体チップの接続端子にコートされた半田をリフローすることで半導体チップの接続端子と接続端子Ｔ３とが電気的に接続される。なお、金属めっき層Ｍは、例えば、Ｎｉ層、Ｓｎ層、Ａｇ層、Ｐｄ層、Ａｕ層等の金属層から選択される単一又は複数の層（例えば、Ｎｉ層／Ａｕ層、Ｎｉ層／Ｐｄ層／Ａｕ層）で構成される。
【００８１】
また、金属めっき層Ｍの代わりに、防錆用のＯＳＰ（Organic Solderability Preservative）処理を施してもよい。また、接続端子Ｔ３の露出面に半田をコートしてもよく、さらに、接続端子Ｔ３の露出面を金属めっき層Ｍで覆った後、この金属めっき層Ｍに半田をコートしてもよい。なお、接続端子Ｔ３の露出面に半田をコートする方法については、第１の実施形態で説明したので重複した説明を省略する。
【００８２】
充填部材４は、ビルドアップ層３の表層に形成された各接続端子Ｔ３の側面に当接した状態で、接続端子Ｔ３間に充填されている。充填部材４の厚みＤ１は、接続端子Ｔ３の厚み（高さ）Ｄ２よりも薄くなっている。なお、充填部材４は、第１の実施形態で説明した第１〜第４の充填方法により接続端子Ｔ３間に充填することができる。
【００８３】
ソルダーレジスト層５は、半導体チップの実装領域に略等間隔で配置された接続端子Ｔ３を露出させる開口５ｂと、チップキャパシタ実装用のパッドＰを露出させる開口５ｃとを有している。ソルダーレジスト層５の開口５ｂは、同一開口内に複数の接続端子Ｔ３を配置するＮＳＭＤ形状となっている。また、ソルダーレジスト層５上にはアライメントマークＡＭが形成されている。
【００８４】
（裏面側の構成）
配線基板３００の裏面側の構成は、コア導体層２２と電気的に接続する蓋めっき層１４１が形成され、この蓋めっき層１４１と導体層１３２とが、フィルドビア１４２により電気的に接続されている。フィルドビア１４２は、ビアホール１４４ａとビアホール１４４ａ内側にめっきにより充填されたビア導体１４４ｂとを有する。また、導体層１３２上には、ビアを介さずに、マザーボード等（不図示）との接続端子Ｔ１１が直接形成されている。
【００８５】
（配線基板の製造方法）
図１７〜図１８は、第３の実施形態に係る配線基板３００の製造工程を示す図である。以下、図１７〜図１８を参照して、配線基板３００の製造方法について説明する。なお、コア基板工程、充填工程、ソルダーレジスト層工程、めっき工程、バックエンド工程については、それぞれ、図４、図７〜図１０を参照して説明した第１の実施形態に係る配線基板１００の製造方法と同じであるため重複した説明を省略する。
【００８６】
（ビルドアップ工程：図１７）
コア基板２の表面及び裏面に、樹脂絶縁層３１，１３１となるエポキシ樹脂を主成分とするフィルム状絶縁樹脂材料をそれぞれ重ね合わせて配置する。そして、この積層物を真空圧着熱プレス機で加圧加熱し、フィルム状絶縁樹脂材料を熱硬化させながら圧着する。次に、従来周知のレーザー加工装置を用いてレーザー照射を行い、樹脂絶縁層３１，１３１にビアホール４４ａ，１４４ａをそれぞれ形成する（図１７参照（ａ））。
【００８７】
続いて、樹脂絶縁層３１，１３１の表面を粗化した後、無電解めっきを行い、ビアホール４４ａ，１４４ａの内壁を含む樹脂絶縁層３１，１３１上に無電解銅めっき層を形成する。次にフォトレジストを樹脂絶縁層３１，１３１上に形成された無電解銅めっき層上にラミネートして、露光・現像を行い、所望の形状にめっきレジストＭＲ１，ＭＲ１１を形成する。その後、このめっきレジストＭＲ１，ＭＲ１１をマスクとして、電解めっきにより、銅をめっきして、所望の銅めっきパターンを得る（図１７（ｂ）参照）。
【００８８】
（凸めっき層形成工程：図１８）
次に、めっきレジストＭＲ１，ＭＲ１１を剥離せずに、フォトレジストを樹脂絶縁層３１，１３１上に形成された無電解銅めっき層上にラミネートして、露光・現像を行い、所望の形状にめっきレジストＭＲ２，ＭＲ１２を形成する。その後、このめっきレジストＭＲ２，ＭＲ１２をマスクとして、電解めっきにより、銅をめっきして、所望の銅めっきパターンを得る（図１８（ａ）参照）。
【００８９】
次に、めっきレジストＭＲ１、ＭＲ２、ＭＲ１１、ＭＲ１２を剥離し、めっきレジストＭＲ１、ＭＲ２下に存在している無電解銅めっき層を除去して、導体層３２，１３２上に接続端子Ｔ３、パッドＰ有する導体層３４及び接続端子Ｔ１１を有する導体層１３４それぞれ形成する（図１８（ｂ）参照）。
【００９０】
以上のように、第３の実施形態に係る配線基板３００は、接続端子Ｔ３，Ｔ１１を、ビアを介さずに、導体層３２，１３２上に直接形成している。このため、配線基板３００の製造工程を削減することができ、製造コストを低減することができる。また、柱状形状の接続端子Ｔ３を充填部材４の表面から突出させているので、半導体チップの実装領域に高密度に配置することができる。その他の効果は、第１の実施形態に係る配線基板１００、第２の実施形態に係る配線基板２００と同じである。
【００９１】
（その他の実施形態）
図１〜図３を参照して説明した配線基板１００、図１１〜図１３を参照して説明した配線基板２００、図１４〜図１６を参照して説明した配線基板３００では、接続端子Ｔ１〜Ｔ３間にそれぞれ充填する充填部材４の上面は、平坦（フラット）となっていたが、充填部材４の上面は、必ずしも平坦（フラット）である必要はなく、例えば、図１９に示すように、充填部材４の上面が丸みを帯びた、いわゆるフィレット形状となっていてもよい。
【００９２】
以上、本発明を、具体例を挙げながら詳細に説明してきたが、本発明は上記内容に限定されるものではなく、本発明の範疇を逸脱しない限りにおいてあらゆる変形や変更が可能である。例えば、上記具体例では、配線基板１００〜３００が半田ボールＢを介してマザーボード等と接続するＢＧＡ基板である形態について説明しているが、半田ボールＢの代わりにピンもしくはランドを設けた、いわゆるＰＧＡ（Pin Grid Array）基板もしくはＬＧＡ（Land Grid Array）基板として配線基板１００〜３００をマザーボード等と接続するようにしてもよい。
【００９３】
また、本実施例では、第１の充填方法や第２の充填方法を採用した場合、充填部材４を形成した後にソルダーレジスト層５を形成しているが、ソルダーレジスト層５を形成した後に充填部材４を形成するようにしても良い。
【符号の説明】
【００９４】
１００〜３００…配線基板、２…コア基板、３…ビルドアップ層、４…充填部材、５…ソルダーレジスト層、５ａ…開口、１３…ビルドアップ層、１４…ソルダーレジスト層、１４ａ…開口、２１，２２…コア導体層、２３…スルーホール、２４…スルーホール導体、２５…樹脂製穴埋め材、３１，３３…樹脂絶縁層、３２，３４…導体層、３５，３６…ビア、３７ａ…ビアホール、３７ｂ…ビア導体、３７ｃ…ビアパッド、３７ｄ…ビアランド、４１…蓋めっき層、４２，４３…フィルドビア、４４ａ…ビアホール、４４ｂ…ビア導体、１３１，１３３…樹脂絶縁層、１３２，１３４…導体層、１３５，１３６…ビア、１３７ａ…ビアホール、１３７ｂ…ビア導体、１３７ｃ…ビアパッド、１３７ｄ…ビアランド、１４１…蓋めっき層、１４２，１４３…フィルドビア、１４４ａ…ビアホール、１４４ｂ…ビア導体、Ａ…接続面、Ｂ…半田ボール、Ｆ１…第１の主面、Ｆ２…第２の主面、Ｌ１，Ｌ２，Ｌ３…金属配線、Ｌ１１，Ｌ１２…金属配線、Ｍ…金属めっき層、Ｔ１〜Ｔ３，Ｔ１１…接続端子，Ｃ…当接面、Ｎ…離間面、ＡＭ…アライメントマーク、Ｐ…パッド、ＭＲ１，ＭＲ２，ＭＲ１１，ＭＲ１２…めっきレジスト、Ｗ１〜Ｗ６…幅。
【要約】
【課題】接続端子の接着強度を確保して、接続端子が途中の製造工程で倒れたり、剥がれてしまうのを抑制できる配線基板を提供すること。
【解決手段】本発明に係る配線基板は、絶縁層及び導体層がそれぞれ１層以上積層された積層体を有する配線基板であって、積層体上に互いに離間して形成された複数の接続端子と、複数の接続端子間に、当該複数の接続端子の高さよりも低い位置まで充填された充填部材と、を備え、接続端子の断面は、積層体と接する側の第１の主面の幅が、第１の主面に対向する第２の主面の幅よりも広い台形状であることを特徴とする。
【選択図】図３【図１】
0005410580.tif 000002
【図２】
0005410580.tif 000003
【図３】
0005410580.tif 000004
【図４】
0005410580.tif 000005
【図５】
0005410580.tif 000006
【図６】
0005410580.tif 000007
【図７】
0005410580.tif 000008
【図８】
0005410580.tif 000009
【図９】
0005410580.tif 000010
【図１０】
0005410580.tif 000011
【図１１】
0005410580.tif 000012
【図１２】
0005410580.tif 000013
【図１３】
0005410580.tif 000014
【図１４】
0005410580.tif 000015
【図１５】
0005410580.tif 000016
【図１６】
0005410580.tif 000017
【図１７】
0005410580.tif 000018
【図１８】
0005410580.tif 000019
【図１９】
0005410580.tif 000020